(57)【特許請求の範囲】
【請求項１】
下記段階：
Ａ）任意の順序で、
１）低分子量標的特異的結合リガンドを含むことが予測される流体試料、
２）前記低分子量標的特異的結合リガンドの第１レセプター、および
３）前記低分子量標的特異的結合リガンドとリポーター酵素との水溶性コンジュゲート、
を合わせて、
前記第１レセプターと、前記低分子量標的特異的結合リガンドまたは前記水溶性コンジュゲートのいずれかとの複合体を含有する混合物を生成せしめること、
Ｂ）未複合化水溶性コンジュゲートを含有する前記混合物の試料および固定化第２レセプターを合わせて、但し、前記第２レセプターは、前記リポーター酵素または前記低分子量標的特異的結合リガンドのいずれかに特異的である、
前記固定化第２レセプターと未複合化水溶性コンジュゲートとの水不溶性反応生成物を生成せしめること、但し、前記第１レセプターが水溶性であるときには、前記固定化第２レセプターが前記低分子量標的特異的結合リガンドに特異的であることを条件とする、
Ｃ）前記段階Ｂ）で生成された水不溶性反応生成物を、未反応水溶性コンジュゲートから分離すること、そして
Ｄ）前記流体試料中の前記低分子量標的特異的結合リガンドの測定として、前記分離した水不溶性反応生成物により発生した信号を検出すること、
を含む、低分子量標的特異的結合リガンドを検出するための特異的結合方法。
【請求項２】
前記第１および第２レセプターが前記低分子量標的特異的結合リガンドの抗体である、請求項１に記載の方法。
【請求項３】
前記リポーター酵素が、ペルオキシダーゼ、アルカリ性ホスファターゼ、クレアチンキナーゼ、グルコースオキシダーゼ、ウレアーゼ、β−ガラクトシダーゼまたはグルコース−６−ホスフェートデヒドロゲナーゼである、請求項１に記載の方法。
【請求項４】
前記リポーター酵素が西洋ワサビペルオキシダーゼである、請求項３に記載の方法。
【請求項５】
前記検出段階Ｄ）が、適当な基質の存在下で前記リポーター酵素により発生した比色信号を評価することによって実施される、請求項１に記載の方法。
【請求項６】
プロスタグランジンＥ2 （ＰＧＥ2 ）を検出するための方法であって、前記リポーター酵素が西洋ワサビペルオキシダーゼであり、前記第１レセプターがＰＧＥ2 に特異的な抗体であり、かつ前記固定化第２レセプターがＰＧＥ2 または西洋ワサビペルオキシダーゼのいずれかに特異的な抗体である、請求項１に記載の方法。
【請求項７】
前記第１レセプターが固定化されており、かつ前記段階Ａ）で生成された複合体が水不溶性であり、そしてさらに、段階Ａ）とＢ）との間に、前記水不溶性複合体が未複合化水溶性コンジュゲートを含有する上清から分離される、請求項１に記載の方法。
【請求項８】
前記第１および第２レセプターがポリマー粒子上に固定化されている、請求項７に記載の方法。
【請求項９】
前記固定化第１レセプターが前記低分子量標的特異的結合リガンドの抗体であり、かつ前記固定化第２レセプターが前記リポーター酵素の抗体である、請求項７に記載の方法。
【請求項１０】
前記流体試料および前記固定化第１レセプターが、前記水溶性コンジュゲートと接触せしめられる前に混合され、
前記段階Ａ）で生成された水不溶性複合体が、濾過により前記上清中の前記未複合化水溶性コンジュゲートから分離され、
前記固定化第２レセプターが、段階Ｃ）で前記上清を濾過した濾過膜上に配置されている、請求項７に記載の方法。
【請求項１１】
個々のパックに、
低分子量標的特異的結合リガンドとリポーター酵素との水溶性コンジュゲート、
前記低分子量標的特異的結合リガンドの第１レセプター、および
固定化第２レセプター、但し、前記第２レセプターは、前記リポーター酵素または前記低分子量標的特異的結合リガンドのいずれかに特異的であるが、前記第１レセプターが水溶性であるときには、前記固定化第２レセプターが前記低分子量標的特異的結合リガンドに特異的であることを条件とする、
を含む、低分子量標的特異的結合リガンドの検出に有用な試験キット。
【請求項１２】
個々のパックに、少なくとも１つの以下のもの：
前記リポーター酵素に応じて比色、蛍光もしくは化学ルミネセンス信号を提供するための１つ以上の試薬、
洗浄溶液、
使い捨て試験デバイス、または
濾過デバイス、
をさらに含む、請求項１１に記載の試験キット。
【請求項１３】
前記第１および第２レセプターがポリマー粒子上に固定化されている、請求項１１に記載の試験キット。
【請求項１４】
前記第１および第２レセプターが前記低分子量標的特異的結合リガンドの抗体である、請求項１１に記載の試験キット。
【請求項１５】
前記第１レセプターが前記低分子量標的特異的結合リガンドの抗体であり、かつ前記第２レセプターが前記リポーター酵素の抗体である、請求項１１に記載の試験キット。
【請求項１６】
前記リポーター酵素がペルオキシダーゼであり、かつ前記第２レセプターがペルオキシダーゼの抗体である、請求項１５に記載の試験キット。
【請求項１７】
前記第１および第２レセプターがＰＧＥ2 の抗体であり、かつ前記リポーター酵素が西洋ワサビペルオキシダーゼである、請求項１１に記載の試験キット。
【請求項１８】
前記第２レセプターが、前記低分子量標的特異的結合リガンドまたは前記リポーター酵素のいずれかに特異的な抗体である、前記第２レセプターを付着させたポリマー粒子を配置した微孔質濾過膜を有する使い捨て試験デバイスをさらに含む、請求項１１に記載の試験キット。
【発明の詳細な説明】
【０００１】
【産業上の利用分野】
本発明は、競合的結合アッセイ・フォーマットを用いる標的リガンドの迅速な特異的結合アッセイに関する。また、本発明は、前記アッセイを実施する際に有用な試験キットに関する。本発明は、疾病の指標でありうる種々の特異的結合リガンドを検出して診断するのに有用である。
【０００２】
【従来の技術】
医学的研究および調査、ならびに分析および診断方法において、種々の流体、例えば、生物学的流体に存在する化学的および生物学的物質の迅速かつ正確な測定が必要とされ続けている。例えば、治療薬、麻薬、ホルモン、タンパク質、毒素、微生物、ウイルス、ステロイドもしくは核酸の存在は、種々疾病もしくは状態の有効な調査、診断または治療のために迅速かつ正確に検出されねばならない。
プロスタグランジンＥ2 （ＰＧＥ2 ）は、身体における炎症の有力な生化学的メディエイタである。歯肉溝流体中の高レベルのＰＧＥ2 は、歯周疾患の指標となることが示されている。歯周疾患の周期性により、疾患活性の正確な測定は、疾患増悪の期間を測定するのに有用であり、かつ好ましい疾患の治療を助けるのに有用であるだろう。ＰＧＥ2 が非常に低濃度（ 100ナノモル濃度以下）で検出できれば、歯周疾患の指標としてのＰＧＥ2 の臨床的有用性は最高となる。
【０００３】
化学的および生物学的物質を検出するための多種多様な分析方法がこの10年間で開発されてきた。そのような方法のほとんどが、「特異的結合」反応として当該技術分野で既知であるものに頼っている。そのような反応では、検出しようとする未知物質（「特異的結合リガンド」として既知である）は、対応する「レセプター」分子と特異的かつ優先的に反応する。最もよく知られている特異的結合反応は、免疫反応体、例えば、抗体と抗原（免疫応答を生じる外因物質）の間で起こるが、しかしまた別の特異的結合反応（例えば、アビジンとビオチン、または糖とレクチン）も知られている。
【０００４】
当該技術分野で既知のアッセイ・フォーマットの多くは、固定化されていない反応体が固定化された反応体から分離されるように、１つ以上の反応体を固形基体に固定化することを要求する。「サンドイッチ」および「直接結合アッセイ」は、分離段階を要する、当該技術分野で用いられてきたアッセイ・フォーマットの範疇に入る。
しかしながら、低分子量標的特異的結合リガンド、例えば、ＰＧＥ2 の検出に標準免疫学的技法を成功裏に使用することはかなり困難である。低分子量（１ナノモル濃度以下）のそのようなリガンドを検出することが特に望まれるが、しかし標準免疫学的技法はこの目的に関して常に頼りになるわけではない。
【０００５】
一般的には、低分子量の標的特異的結合リガンドの定量は、標識していないリガンド（試験試料中）と標識化リガンドとの間の、リガンドのレセプターの結合部位についての競争を伴う。これは、典型的な競合的特異的結合アッセイである。試験試料中のリガンドは、レセプターから標識化リガンドを置換し、そして種々方法により置換量が定量される。結合標識化リガンドを測定すると、試料中のリガンドの量と発生した信号とは反対に相関する。結合していない標識化リガンドを測定すると、正の相関が得られるだろう。
一般的には、結合標識由来の信号は容易に測定されるが、しかし（例えば、医院で）高度の診断訓練および装置を欠く医療業者がその信号を解釈することはより困難である。
【０００６】
標準競合的特異的結合アッセイに伴う別の問題は、遊離もしくは結合標識化リガンドの測定が、遊離および結合分子の分離効率により制限されることである。遊離標識化リガンドが結合標識化リガンドから十分に分離されないとき、アッセイの感度および特異性は悪影響を受けるだろう。
従って、低濃度の種々の標的特異的結合リガンド（特に低分子量のもの）を迅速かつ容易に検出するために、遊離標識化リガンドが効率よく分離および測定される、高感度な競合的結合アッセイが必要とされる。
【０００７】
同時係属かつ通常譲渡された米国特許出願番号第 08/250,980 号明細書，題名「酵素阻害および抗阻害抗体を用いる特異的結合アッセイならびに試験キット（Specific Binding Assay and Test Kit Using Enzyme Inhibitor and Anti-Inhibitor Antibodies）」，Contestable, Snyder, Corona-HowardおよびGroganにより1994年 5月31日出願，は、前記課題を解決するそのようなアッセイを提供する。
しかしながら、この出願のアッセイは、信号を発生させるために用いられるリポーター酵素に特異的である数種の精巧な抗体の使用を必要とする。これらの抗体は、アッセイを有利にする別の重要な性質を有する。そのような試薬は、所定の複数のアッセイについて一貫して開発または製造するのが難しいことがある。従って、一般的なアッセイ・フォーマットにより提供される著しい利点を保持しながら、可能であればそれらの使用を回避することが望まれるだろう。このように、あまり精巧ではない試薬を使用し、かつ製造および使用がより簡単である別のアッセイが望まれる。
【０００８】
【発明が解決しようとする課題】
米国特許第 4,859,583号明細書（Heller他）は、複数の部屋を有するデバイスを用いる低分子量抗原の化学ルミネセンス・イムノアッセイを記載している。前記アッセイでは、試料の抗原が抗体に結合した標識化抗原と置換する。標識化抗原は、光信号を発生させる第２室に拡散される。このアプローチには幾つかの問題が伴うが、しかし主要な問題は、膜の反対側まで拡散させなければならないので、アッセイをゆっくり行わなくてはならないことである。さらに、デバイスは複雑になり、そして各所定の分析物（抗原）に適する膜を必要とする。低分子量分析物の速くて簡単なアッセイを得ることは望ましいだろう。
【０００９】
【課題を解決するための手段】
前記課題は、下記段階：
Ａ）任意の順序で、
１）標的特異的結合リガンドを含むことが予測される流体試料、
２）前記標的特異的結合リガンドの第１レセプター、および
３）前記標的特異的結合リガンドとリポーター酵素との水溶性コンジュゲート、
を合わせて、
前記第１レセプターと、前記標的特異的結合リガンドまたは前記水溶性コンジュゲートのいずれかとの複合体を含有する混合物を生成せしめること、
Ｂ）未複合化水溶性コンジュゲートを含有する前記混合物の試料および固定化第２レセプターを合わせて（但し、前記第２レセプターは、前記リポーター酵素または前記標的特異的結合リガンドのいずれかに特異的である）、
前記固定化第２レセプターと未複合化水溶性コンジュゲートとの水不溶性反応生成物を生成せしめること、
（但し、前記第１レセプターが水溶性であるとき、前記固定化第２レセプターが前記標的特異的結合リガンドに特異的であることを条件とする）
Ｃ）前記段階Ｂ）で生成された水不溶性反応生成物を、未反応水溶性コンジュゲートから分離すること、そして
Ｄ）前記流体試料中の前記標的特異的結合リガンドの測定として、前記分離した水不溶性反応生成物により発生した信号を検出すること、
を含む、標的特異的結合リガンドを検出するための特異的結合方法を用いて解決される。
【００１０】
また、本発明は、個々のパックに、
標的特異的結合リガンドとリポーター酵素との水溶性コンジュゲート、
前記標的特異的結合リガンドの第１レセプター、および
固定化第２レセプター（但し、前記第２レセプターは、前記リポーター酵素または前記標的特異的結合リガンドのいずれかに特異的であり、前記第１レセプターが水溶性であるときには、前記固定化第２レセプターが前記標的特異的結合リガンドに特異的であることを条件とする）、
を含む、標的特異的結合リガンドの検出に有用な試験キットも提供する。
本発明は、リポーター酵素の活性由来の信号がアッセイ系中の標的特異的結合リガンドの量に正比例する、特異的結合アッセイである。それは、低濃度の標的特異的結合リガンド、特に低分子量リガンド、例えば、ＰＧＥ2 の迅速かつ容易な検出のために提供される。従って、本アッセイは、歯周疾患の診断または治療に都合良く使用できる。
【００１１】
ある態様では、本発明のアッセイが、固定化第１レセプターを用いた遊離および結合リポーター酵素標識化リガンドの急速な競合分離を使用している。次いで遊離標識化リガンドが、リガンドまたはリポーター酵素のいずれかに特異的な固定化第２レセプター分子と複合化し、そして典型的には、得られた反応生成物が信号発生および検出の容易な使い捨て試験デバイスに捕捉される。好ましい態様では、異なる固定化レセプターおよび各標識リガンドの水溶性コンジュゲートを用いて、単一の試験デバイスで複数の標的リガンドを検出および区別できる。
別の態様では、第１レセプターが水溶性（非固定化）であり、かつ固定化第２レセプターが、試料中のリガンドの存在を検出するためにリポーター酵素に結合させたリガンドと反応する。
【００１２】
【具体的な態様】
本発明は、リガンドについてのレセプター分子が入手可能であるかまたは製造可能であるような、１つ以上の多種多様な標的特異的結合リガンド（以下本明細書ではリガンドと示される）のいずれかを定性的、定量的または半定量的に検出するのに使用できる。リガンド−レセプター複合体の具体例（すなわち、リガンドと対応するレセプターとの反応生成物）は、限定されるものではないが、抗体−抗原、抗体−ハプテン、アビジン−ビオチン、糖−レクチン、ゼラチン−フィブロネクチンおよびプロテインＡ−ＩｇＧの複合体を含む。本発明のために、また相補的核酸（すなわち、相補鎖のハイブリッド生成物）がリガンド−レセプター複合体として考えられる。そのような相補的核酸は、塩基対毎に相補的である必要はない。一方の鎖がもう一方の鎖よりも長くてもよいし、または一方の鎖が複数のより短い相補鎖を有していてもよい。
リガンドは、限定されるものではないが、ペプチド類、ポリペプチド類、タンパク質類（酵素類、抗体類、抗原性タンパク質類、糖タンパク質類、リポタンパク質類およびアビジンを包含する）、ホルモン類（例えば、サイロキシン、トリヨードサイロキシン、ヒト絨毛性ゴナドトロピン、エストロゲン、ＡＣＴＨおよびサブスタンスＰ）、免疫系モジュレーター類（例えば、インターロイキン−１、インターロイキン−６および腫瘍壊死因子α）、ビタミン類、ステロイド類、炭水化物類（例えば、多糖類）、糖脂質類、薬物類（例えば、ジゴキシン、フェニトイン、フェノバルビタール、モルフィネ、カルバマゼピンおよびテオフィリン）、抗生物質類（例えば、ゲンタマイシン）、細菌細胞およびウイルスの成分（例えば、レンサ球菌種、ヘルペスウイルス類、淋菌種、クラミジア種、レトロウイルス類、インフルエンザウイルス類、プレボテラ種、ポルフィロモナス種、アクチノバチルス種およびマイコバクテリウム種）、核酸類（一本鎖および二本鎖オリゴヌクレオチドを包含する）、医薬品製剤類、ハプテン類、レクチン類、ビオチン、ならびに当業者に容易に明らかである別の物質を含む。好ましい態様では、リガンドが抗原性物質（例えば、前記薬物）または抗体（抗抗体を包含する）である。
【００１３】
本発明は、低分子量標的特異的結合リガンドの検出に特に有用である。「低分子量標的特異的結合リガンド」とは、 500ダルトン未満の分子量を有し、かつ（単一エピトープ結合部位のみにより、または立体障害により）単一対応レセプター分子のみと複合化できる化合物を意味する。そのようなリガンドは、限定されるものではないが、ＰＧＥ2 および別のアラキドン酸中間代謝物、ジゴキシン、ジフェニルヒダントイン、カルバマゼピン、フェノバルビタールおよび当該技術分野で容易に明らかである別のものを含む。最も好ましい態様では、本発明はＰＧＥ2 の効率のよい迅速な検出に有用である。
【００１４】
本明細書中で用いられている「抗体」なる語は（特に断らない限り）、当該技術分野で一般的であるように、単一の特異性を有する完全な免疫グロブリン分子を包含する。加えて、この語は、そのような分子の化学的に調製された断片〔例えば、Ｆａｂ、Ｆ（ａｂ）′、Ｆ（ａｂ）2 、断片〕および遺伝学的に調製されたそれらの等価体（例えば、「一本鎖抗体断片」もしくはＳｃＦｖ断片）を包含することを意味する。本明細書中に記載される各型の抗体は、モノクローナルもしくはポリクローナルでありうる。
モノクローナル抗体は、従来のハイブリドーマ技術を用いて通常調製されるそれらの分子を含むが、しかしそれらは電気融合、ウイルス性形質転換および当該技術分野で既知である別の方法により調製することもできる。
一般的には、本発明の実施に際して用いられるモノクローナル抗体は、Kohler他，Nature 256, 495 (1975)に記載される従来の方法に従って、適当な動物（例えば、マウスもしくはラット）を対応する抗原、例えば、リポーター酵素（もしくはタンパク質担体に結合させた抗原）で免疫することにより調製される。
【００１５】
免疫した動物の脾細胞の集団は、Lane「J. Immunol. Methods 81, 223-228 ページ（1985）〕の教示に従って、ポリエチレングリコール（ＰＥＧ1450）もしくは別の融合剤（fusogen ）の存在下で、適当なハイブリドーマ・セルラインと融合できる。得られたハイブリッド細胞を選択培地で希釈し、マイクロタイタープレートに分配し、そして７〜21日間培養した後、スクリーニングして抗体がどのような型の性質を有するのか調べる。特に有用な抗体の特別な調製方法を以下に具体的に示す。
哺乳動物の脾細胞とハイブリッドするための種々の骨髄腫（ミエローマ）セルラインは市販されている。そのようなセルラインの供給源は、American Type Culture Collection (ATCC), Rockville, Marylandを含む。特に有用な骨髄腫セルラインは、Sp2/0-Ag14およびP3x63Ag8骨髄腫細胞を含み、それらは両方ともATCCより入手可能である。最初のセルラインが好ましい。
【００１６】
本発明で用いられるモノクローナル抗体の調製では、選択されたハイブリドーマを、軟寒天でクローン化し、そして個々のクローンを引き抜いて、従来の方法を用いて培養し、そして前記方法を用いてスクリーニングした。モノクローナル抗体は、振盪フラスコ中で成長させ、そして固定化プロテインＡもしくはプロテインＧのいずれかの従来のアフィニティークロマトグラフィーを用いて抗体を収集および精製することができる。所望により、別の従来の精製方法を用いることもできる。
【００１７】
アッセイ・プロトコール：
一般的には、本発明のアッセイ・プロトコールは、任意の順序で以下の試薬：
１）ある種の型の流体試料中のリガンド（例えば、抗原性物質）、
２）流体試料中の前記リガンドに特異的でありかつそれと反応性である（リポーター酵素に結合されていてもよく、または遊離型であってもよい）、第１レセプター（例えば、抗体）、および
３）前記標的リガンドとリポーター酵素との水溶性コンジュゲート、
を合わせることを含む。
一度これらの試薬が合わされると、適当な反応が生じる。詳細には、標的リガンドおよび水溶性コンジュゲートは、第１レセプター上の利用可能な部位について競争し、それによって特異的結合複合体が生成する。
【００１８】
第１レセプターが何らかの形で固定化されている場合、次いでこのように生成された水不溶性特異的結合複合体は、得られた上清中の未複合化水溶性コンジュゲートから分離される。分離手段は以下により詳細に記載する。
一度分離が達成されると、未複合化水溶性コンジュゲートを含む上清の試料は固定化第２レセプターと合わせられる。この第２レセプターは、コンジュゲートのリポーター酵素またはコンジュゲートのリガンド部分のいずれかに特異的である。
この接触の結果、コンジュゲートと固定化第２レセプターとの水不溶性反応生成物が生成する。次いでこの反応生成物は、残留する未反応水溶性コンジュゲートから分離される。信号は、固定化反応生成物中の活性リポーター酵素の存在により、適当な信号発生性試薬（下記）を用いて、流体試料中のリガンドの量に正比例して発生する。
【００１９】
従って、もとの流体試料中にリガンドが全く存在しないとき、第１分離段階の後に上清中に存在する水溶性コンジュゲートはないだろう。上清中に水溶性コンジュゲートが全く存在しないとき、固定化第２レセプターと反応するコンジュゲートはなく、そして信号も発生しない。流体試料中にリガンドが存在するとき、水溶性コンジュゲートが上清中に存在するだろう。このコンジュゲートは固定化第２レセプターと複合化し、それによって流体試料中のリガンドの量に正比例して検出可能な固定化反応生成物を提供する。
第１レセプターが水溶性であるとき（固定化されていないとき）、複合化または未複合化物質の混合物を含有する反応溶液は、標的特異的結合リガンドのみに特異的である固定化第２レセプターと直接接触せしめられる。リガンドとリポーター酵素とのコンジュゲートと第１レセプターとの複合体は、それらが固定化第２レセプターと反応できないように洗い流される。従って、第１レセプターを用いて複合化または未複合化物質を予め分離することが要求される。信号発生および検出は、前記と同様に達成される。
【００２０】
前記の種々の段階では、前記試薬は、適当な温度で合わせることができるが、一般的には約10〜約35℃の範囲で、そして好ましくは室温で合わせることができる。混合する時間は数秒間〜 120分間に変えることができるとはいえ、典型的には混合段階は約５分間未満の時間を必要とする。また、方法全体が約20分間以内に実施されることが好ましい。
検出しようとするリガンドは、限定されるものではないが、全血、血清、血漿、リンパ液、胆汁、尿、脊髄液、涙液、綿棒で集めた被検体、便検体、精液、膣分泌物、唾液、歯肉溝液および当業者に容易に明らかな別のものを包含する、動物もしくはヒトの体液、組織または老廃物の多種多様な流体試料（もしくは水性溶液）中に存在するであろう。流体試料の量は当該技術分野で知られているように広範に変えることができるが、典型的には少なくとも約１〜10μＬである。
【００２１】
第１および第２レセプター分子は、リガンド、またはリガンドに付着させたリポーター酵素標識との反応に応じる。一般的には、そのようなレセプターは、リガンドにまたはリポーター酵素（下記）に特異的な抗体である。
ある態様では、第１および第２レセプターの両レセプターが、同一もしくは異なる水不溶性支持体上に固定された形で提供される。適当な支持体は、限定されるものではないが、ポリマー、磁気もしくはガラスの粒子、ポリマーもしくはガラスの濾過膜、セルロース系濾紙、ポリマーフィルム、ガラススライド、試験管、磁性鉄流体、試験デバイスもしくはマイクロタイタープレートの試験ウェル、または当業者に容易に明らかな別のものを含む。好ましくは、レセプターが、この目的で設計された同一もしくは異なるポリマー粒子上に固定される。このような粒子は当該技術分野で周知である。粒子表面上の反応性基は、限定されるものではないが、カルボキシ、２−置換エチルスルホニル、ビニルスルホニル、エポキシ、アルデヒド、活性ハロ原子類、アミノ、ヒドラジンおよび活性エステル類、例えば、スクシンイミドオキシカルボニルを含む。
【００２２】
特に有用な粒状支持体は、例えば、ヨーロッパ特許第 0 323 692号明細書（1989年 7月12日刊行）および米国特許第 4,997,772号明細書（Sutton他，引用することにより本明細書中に組み入れられる）に記載されており、それらは、活性ハロ原子類、活性化２−置換エチルスルホニルもしくはビニルスルホニル基を有する１つ以上のエチレン系不飽和重合性モノマーより調製される。有用なカルボキシ含有ポリマー粒子は、米国特許第 5,262,297号明細書（Sutton他）に記載されている。この文献は、引用することにより本明細書中に組み入れられる。別のカルボキシ含有ポリマー粒子が従来技術文献に記載されており、そして多くのものが市販されている。
【００２３】
支持体へのレセプターの付着は、種々の従来の方法のいずれかを用いて、例えば、レセプター分子を塗布して吸着させることで、またはインキュベートして支持体上の反応性基と共有結合反応させることで達成できる。そのような方法は、例えば、米国特許第 5,252,457号明細書（Snodgrass 他）および米国特許第 5,262,297号明細書（Sutton他）（これらは、両方とも引用することにより本明細書中に組み入れられる）に記載されている。あるいは、レセプターは、支持体、例えば、ポリマー粒子、に付着した連結基を有するその支持体に結合させることもできる。そのような連結基は、支持体から伸びている化学的部分であってもよく、または生物学的連結部分、例えば、レセプターが複合することができるペプチドもしくは抗体であってもよい。
【００２４】
本発明方法に用いられる第１レセプターの量は、一般的には約10-11 〜約10-7モル濃度であり、約10-9〜約10-8モル濃度の量が好ましい。
本発明の実施に際して用いられるリガンドとリポーター酵素との水溶性コンジュゲートは、タンパク質、ホルモン、薬物、または必要な反応性基を有する別の化学的もしくは生物学的化合物を共有結合させるための当該技術分野の従来の技法のいずれかを用いて調製できる。従って、リガンドおよびリポーター酵素の種々の反応性基は、コンジュゲートを作成するための手段を選択する際に考慮できる。そのような基は、限定されるものではないが、カルボキシ基、アミノ基、ヒドロキシ基、チオール基およびイミダゾール基を含む。有用な結合方法は、限定されるものではないが、ペプチド結合、過ヨウ素酸酸化、グルタルアルデヒド、ジカチオンエーテル、カルバモイルオニウム塩、カルボジイミドもしくはＮ−ヒドロキシスクシンイミドの使用、および当業者に容易に明らかな別のものを含む。これらおよび別の方法の各々の詳細は、Williams他，Method in Immunology and Immunochemistry, Academic Press, New York, 1976，およびYoshitake 他，Eur. J. Biochem. 101, 395 (1979)を包含する多数の文献に見出される。
【００２５】
本方法の第１段階で用いられる水溶性コンジュゲートの量は、バックグラウンドが無視できて複合体生成の速度が受け入れられるように、一般的には、少なくとも約10-11 モル濃度のリポーター酵素を提供するのに十分な量である。加えて、信号を生成するための酵素基質があまり迅速に反応しないように、一般的にはその量は約３×10-8モル濃度以下である。
水溶性コンジュゲートの一部分として本発明に有用なリポーター酵素は、典型的には診断方法における標識として用いられる。それらは、限定されるものではないが、ペルオキシダーゼ、グルコースオキシダーゼ、β−ガラクトシダーゼ、ウレアーゼ、アルカリ性ホスファターゼ、クレアチンキナーゼ、ウリカーゼ、グルコース−６−ホスフェートデヒドロゲナーゼおよび当業者に容易に明らかな別のものを含む。ペルオキシダーゼ（種々の供給源のいずれか由来）が好ましく、西洋ワサビペルオキシダーゼが最も好ましい。
【００２６】
本発明の実施に際して段階Ｂ）で用いられる第２レセプターは、前記方法の段階Ａ）で用いられる第１レセプターと同じであってもまたは異なっていてもよい。すなわち、それはリガンドのレセプター、例えば、抗体でありうる。種々のリガンドの抗体は、市販品を購入することにより、またはポリクローナルもしくはモノクローナル抗体の既知調製方法を用いて調製されることが当該技術分野で周知である。複数のリガンドが同時に検出される下記態様では、検出しようとするリガンドに特異的である第２レセプターが用いられる。
あるいは、第２レセプターは、水溶性コンジュゲートのリポーター酵素に特異的な抗体であって、酵素活性を著しく阻害しない抗体でありうる。すなわち、前記抗体は、酵素活性を20％以下（そして好ましくは６％以下）しか阻害しない。そのような抗体は、前記従来の方法を用いて調製し、続いてスクリーニング処理により所望の性質を有する抗体を見出すことにより入手できる。それらは、本明細書では「バインダー（binder）」抗体として示される。例えば、西洋ワサビペルオキシダーゼに特異的なバインダー抗体についてのスクリーニングは、以下に、どのようにして所定のリポーター酵素についてそのようなスクリーニング処理が実施されたのか具体的に記載するが、しかし本発明はこのリポーター酵素のみの使用に限定されると解釈されるものではない。別のリポーター酵素の抗体が本明細書で提供された教示を用いて同様に調製および同定できると信じる。リポーター酵素に対する特異性についてのスクリーニングは、西洋ワサビペルオキシダーゼ・コンジュゲートを吸着させて含むポリスチレン・マイクロタイタープレート中で従来のエンザイム・リンクト・イムノソルベント・アッセイ（Enzyme Linked Immunosorbent Assay ）（ＥＬＩＳＡ）を用いて容易に達成できる。
【００２７】
西洋ワサビペルオキシダーゼについての特異性：
西洋ワサビペルオキシダーゼと、例えば、Jackson Immunoresearchから得られる不適当な抗体（該系におて反応性ではない抗体）とのコンジュゲートを被覆したマイクロタイター・ウェルに、各ハイブリドーマ培養液上清の試料（50μＬ／プレートウェル）を入れる。30〜60分間インキュベーションした後、プレートを適当な非イオン界面活性剤の緩衝液で洗浄し、そしてマウスもしくはラット西洋ワサビペルオキシダーゼ特異的モノクローナル抗体の存在を、抗マウスＩｇＧもしくは抗ラットＩｇＧとアルカリ性ホスファターゼとのコンジュゲート（抗マウスＦｃとのコンジュゲートは、例えば、Jackson Immunoresearchから入手することができる）を用いて検出する。トリス（ヒドロキシメチル）アミノメタン緩衝液（ 1.5モル濃度，pH８）中の基質ｏ−ニトロフェニルリン酸二ナトリウム塩（４mg/mL ）を添加することにより、色素信号を発生できる。別の信号生成性試薬もしくは酵素標識が同様に使用できる。約30分後にバックグラウンド信号の少なくとも２倍の濃度の色素信号を提供する抗体は、西洋ワサビペルオキシダーゼに特異的であると見なされる。色素信号は、従来の分光光度計を用いて測定できる。
西洋ワサビペルオキシダーゼに特異的なバインダー抗体は、以下のようにして阻害機能についてスクリーニングできる。前記の通り、バインダー抗体が酵素活性の阻害をほとんどまたは全く示さないことが望ましい。
【００２８】
酵素阻害についてのアッセイ：
マイクロタイタープレートのウェルに各培養液上清の試料（50μＬ）を入れ、続いてリン酸緩衝溶液中に西洋ワサビペルオキシダーゼ（ 0.2ナノモル濃度）およびゼラチン（ 0.8％）を含む溶液（50μＬ）を添加し、そして得られた混合物を10分間室温で放置する。次いで、クエン酸／リン酸緩衝液（50ミリモル濃度，pH 5.5，混合比 1:1）中に西洋ワサビペルオキシダーゼ基質、ｏ−フェニレンジアミン（１mg/mL ）を含むもの 100μＬを添加することにより残留酵素活性を測定し、そして色素信号の量を 450nmで従来の分光光度計（速度 100mOD/分）を用いて測定する。別の基質もしくは色素提供性試薬が同様に使用できる。
これらの西洋ワサビペルオキシダーゼを（モノクローナル抗体が存在しない対照と比較して）約20％未満しか阻害しない培養液上清は、バインダー抗体としての使用が考えられる。好ましくはこれらの抗体が、リポーター酵素（例えば、西洋ワサビペルオキシダーゼ）の活性を６％以下しか減少させない。
【００２９】
バインダー抗体の解離定数（Ｋd ）は、一般的には50ナノモル濃度以下であり、好ましくは25ナノモル濃度以下であり、そしてより好ましくは約５ナノモル濃度以下である。本明細書に記載されたＫd 値が抗体の相対尺度であること、そしてそのパラメーターを測定するための種々の従来の方法がわずかに低いまたは高い値を与えるかもしれないことは、理解されるべきである。下記第Ｉ表に報告したＫd のほとんどは（「B5-10 」を除く）、前記スクリーニング試験により酵素活性の約99％を阻害するように決定された、10ナノモル濃度の「4-22.2」と示されるモノクローナル抗体による、 0.1ナノモル濃度のリポーター酵素（例えば、西洋ワサビペルオキシダーゼ）の阻害を50％妨害するのに要するバインダー抗体の濃度を測定することにより決定した。モノクローナル抗体4-22.2を、ATCCに寄託されたハイブリドーマ・セルラインHB11603 を用いて調製した。従来の競合アッセイにより西洋ワサビペルオキシダーゼの存在下で結合および未結合抗体の量を測定することにより、バインダー抗体B5-10 のＫd を測定した。
下記第Ｉ表に、本発明の実施に際して有用な西洋ワサビペルオキシダーゼに特異的な有用なバインダー・モノクローナル抗体の種、アイソタイプ、Ｋd および最大西洋ワサビペルオキシダーゼ阻害を列挙する。
【００３０】
【表１】
0003808527.tif 000002
【００３１】
モノクローナル抗体6-89.1および7-32.2は、代表的な西洋ワサビペルオキシダーゼのバインダー抗体である。それらは、ATCCに寄託されたそれぞれHB11635 およびHB11604 と本明細書に明記された新規ハイブリドーマ・セルラインを用いて調製した。
本発明のアッセイの過程でリポーター酵素により発生させる信号は、信号を発生させるのに用いられる特定のリポーター酵素および対応する試薬（例えば、基質）に依存して、化学ルミネセンス、電気化学もしくは比色信号でありうる。
【００３２】
化学ルミネセンス信号は、リポーター酵素に応じて多種多様な方法で発生させることができる。ほとんどの化学ルミネセンス系では、リポーター酵素がペルオキシダーゼであり、そして酸化体、例えば、過酸化水素が存在するかまたは何らかの形でそれを発生させている（例えば、オキシダーゼとその基質との反応）。有用な化学ルミネセンス信号は、例えば、アクリジニウム塩類、ジオキセタン類、テトラキス（ジメチルアミノ）エチレン、ルシフェリン、ルシゲニン、塩化オキザリル、所定のオキシダーゼ（例えば、キサンチンオキシダーゼ）および２，３−ジヒドロ−１，４−フタラジンジオン類（例えば、ルミノールおよびイソルミノール）を用いて発生させられる。そのような化合物およびそれらの用途の多数の具体例が、従来技術文献、例えば、米国特許第 4,383,031号明細書（Boguslaski他）、米国特許第 4,598,044号明細書（Kricka他）、米国特許第 4,729,950号明細書（Kricka他）、米国特許第 5,108,893号明細書（Baret ）およびChemiluminescence in Organic Chemistry (Gundermann他，Springer-Verlag, Berlin, 1987, 204-207ページ）で知られている。化学ルミネセンス信号を発生させる場合、好ましくはペルオキシダーゼがリポーター酵素として用いられ、そしてルミノールもしくは同様の化合物が信号発生性試薬として用いられる。
【００３３】
好ましくは、比色信号が本発明方法で発生させられる。そのような信号は、当該技術分野で周知であるような、多種多様なリポーター酵素および試薬を用いて達成できる。リポーター酵素がペルオキシダーゼである場合（これは好ましい）、有用な色素提供性試薬は、限定されるものではないが、テトラメチルベンジジンおよびその誘導体、ｏ−フェニレンジアミン、トリアリールメタン類、ならびにイミダゾールロイコ色素類、例えば、米国特許第 4,087,747号明細書（Bruschi ）および米国特許第 5,024,935号明細書（McClune ）（両方とも引用することにより本明細書に組み入れられる）に記載のトリアリールイミダゾールロイコ色素を含む。種々のリポーター酵素の基質溶液は、洗浄溶液に含めてまたはアッセイの最後に提供される。ある有用なトリアリールイミダゾールロイコ色素の基質溶液は、過酸化水素および電子移動剤、例えば、４′−ヒドロキシアセトアニリドもしくは３′−クロロ−４′−ヒドロキシアセトアニリドを適当な緩衝液中に含む。
【００３４】
所望の信号を生成するのに必要とされる種々試薬の量は、種々の信号生成性系について入手可能な多数の文献を参照することにより、当業者に容易に明らかであるだろう。好ましい比色系を得るための特定の手段を、以下の実施例に示す。また、アッセイで発生する所望の信号を検出するのに必要とされる装置は、当業者に容易に明らかであるだろう。いくらかの比色信号は、使用者の目視的観察により容易に評価できるが、より一般的には、信号が比色、蛍光もしくは化学ルミネセンス信号を受けて評価するための適当な装置を用いて評価される。
【００３５】
第１レセプターが固定化されている場合、段階Ａ）とＢ）の間に中間分離段階が実施される。固定化第１レセプターと、リガンドまたは水溶性コンジュゲートとで生成された水不溶性複合体は、いずれかの適する装置および方法を用いて未複合化物質（未複合化水溶性コンジュゲートを包含する）から分離される。例えば、段階Ａ）由来の反応混合物は、水不溶性複合体を保持しながら上清（水溶性物質を含有する）を通過させる種々濾過材料のいずれかを用いて濾過できる。あるいは、マイクロタイタープレート、試験管もしくは別のデバイス容器に付着されうる水不溶性複合体から、上清をデカンテーションできる。好ましくは、水不溶性複合体が適当な物質（例えば、前記ポリマー粒子）に付着され、そしてそのような粒子は容易に濾過または遠心分離される。
【００３６】
有用な濾過デバイスは、当業者に容易に明らかであるだろう。好ましい濾過デバイスが、米国特許第 4,948,561号明細書（Hinckley他，図１）に記載されている。
最も好ましい濾過デバイスは、平均孔径約 0.5〜約10μｍを有する微孔質濾過膜を含む。そのような膜は、Pall Corp からロプロジン（LOPRODYNE,商標）膜として市販されている。
【００３７】
段階Ｂ）および本発明方法の次段階は、固定化第２レセプターおよび初期反応溶液が適当に混合されうる適当な容器で実施できる。例えば、この混合処理は、マイクロタイタープレート、試験管、微小管および当業者に容易に明らかな別のもので実施できる。好ましくは本方法が、第２レセプターが適当な形で固定化された使い捨て試験デバイスで実施される。そのような試験デバイスは当業者に容易に明らかであり、そして米国特許第 3,825,410号明細書（Bagshawe）、米国特許第 3,888,629号明細書（Bagshawe）、米国特許第 3,970,429号明細書（Updike）、米国特許第 4,446,232号明細書（Liotta）、米国特許第 4,833,087号明細書（Hinckley）、米国特許第 4,877,586号明細書（Devaney, Jr.他）、米国特許第 4,921,677（Hinckley他）、米国特許第 4,923,680号明細書（Nelson）、米国特許第 4,948,561号明細書（Hinckley他）、米国特許第 4,988,627号明細書（Smith-Lewis ）および米国特許第 5,132,085号明細書（Pelanek ）に記載されているようなデバイスを含む。最も好ましい試験デバイスは、微孔質濾過膜（例えば、Pall Corp 市販のロプロジン（LOPRODYNE,商標）もしくはバイオダイン（BIODYNE,商標）膜）を含む複数の試験ウェルを含む。そのようなデバイスは、Eastman Kodak Company よりスレセル（SURECELL, 商標）もしくはエバルサイト（EVALUSITE,商標）試験キットとして入手可能である。所望により、固定化第２レセプターを、本発明方法で使用する前に膜上に配置できる。
【００３８】
特許請求した方法の分離段階Ｃ）は、いずれか所望の形で実施できる。中間分離段階について先に記載方法および装置を段階Ｃ）に使用することができる。好ましくは、水溶性反応生成物が前記と同じ使い捨て試験デバイス中の未反応水溶性コンジュゲートから分離される。また、分離した反応生成物から発生した信号を、そのような場合、使い捨て試験デバイス中で検出することもできる。
ある好ましい態様では、同じ濾過および試験デバイスを用いて２種以上の異なるリガンドを同時に検出することができる。そのような２種以上の標的特異的結合リガンドを検出するための特異的結合方法は、下記段階：
Ａ）任意の順序で、
１）２種以上の標的特異的結合リガンドを含むことが予測される流体試料、
２）前記標的特異的結合リガンドの各々の固定化第１レセプター、ならびに
３）各標的特異的結合リガンドおよび同一のリポーター酵素から生成されたコンジュゲートである、２種以上の水溶性コンジュゲート、
を合わせて、
前記固定化第１レセプターと、対応する標的特異的結合リガンドまたは水溶性コンジュゲートのいずれかとの２種以上の異なる水不溶性複合体を生成せしめること、
Ｂ）前記段階Ａ）で生成された水不溶性複合体を、未複合化水溶性コンジュゲートを含有する上清から分離すること、
Ｃ）未複合化水溶性コンジュゲートを含有する前記上清の試料、および前記標的特異的結合リガンドの各々の固定化第２レセプターを合わせて（但し、前記固定化第２レセプターは、水不溶性支持体の異なる領域に配置されている）、
前記水不溶性支持体上のそれぞれ異なる領域で、前記固定化第２レセプターと未複合化水溶性コンジュゲートとの水不溶性反応生成物を生成せしめること、
Ｄ）前記段階Ｃ）で生成された水不溶性反応生成物を、未反応水溶性コンジュゲートから分離すること、そして
Ｅ）前記流体試料中の前記２種以上の標的特異的結合リガンドの測定として、前記水不溶性支持体上の異なる領域の前記分離した水不溶性反応生成物により発生した信号を検出すること、
を含む。
【００３９】
前記方法で複数のリガンドを検出するのに有用な水不溶性支持体は、フィルム、紙、膜、もしくはアッセイの試薬に対して不活性でありかつ異なる固定化第２レセプター付着物を配置できるいずれか別の水不溶性物質でありうる。そのような付着物は、ドット、ストリップおよびシンボルを包含するいずれか所望の配置を取ることができる（例えば、米国特許第 5,132,085号明細書およびヨーロッパ特許第 0,439,210号明細書を参照されたい）。好ましくは、固定化第２レセプターの付着物は、単一試験デバイスの微孔質膜上の異なる粒状ドットとして配置される。
【００４０】
本明細書に記載されかつ本発明方法の実施に際して用いられる試薬およびデバイスは、試験キットの個別に包装された成分として供給することができる。そのようなキットは、標的特異的結合リガンドとリポーター酵素との水溶性コンジュゲート、前記第１レセプター（固定化されているかまたは固定化されていない）および前記固定化第２レセプターを含む。ほとんどの態様では、試験キットは、これらの試薬すべて、ならびにリポーター酵素に応じて比色、蛍光もしくは化学ルミネセンス信号を提供するのに適する試薬、洗浄溶液、使い捨て試験デバイス、濾過デバイス、そして本発明方法を実施するための使用説明書を含む。また、キットは、２種以上の標的特異的結合リガンドを検出するのに必要とされる個々の成分、すなわち、複数の第１レセプター、第２レセプターおよび当業者に理解されるであろう別の試薬を含むこともできる。
以下の実施例は、本発明を具体的に説明するものであり、限定することを意図するものではない。すべてのパーセンテージは、特に断らない限り重量パーセントである。
【００４１】
実施例の材料および方法：
西洋ワサビペルオキシダーゼに特異的なモノクローナル抗体（レセプター）の調製：
前記第Ｉ表で6-89.1と示された代表的なモノクローナル・バインダー抗体を以下のように調製した。
スプレーグ・ドーリーネズミに、市販TDM/MPL アジュバント乳剤（RIBI Corporation）に西洋ワサビペルオキシダーゼ（ 400μｇ）を含む溶液を、４週間おきに４回注射した。５回目の注射は、リン酸緩衝溶液中西洋ワサビペルオキシダーゼ（ 400μｇ）を用いて行った。３日後、免疫したラットの脾細胞を、従来の方法を用いてSp2/0-Ag14骨髄腫セルライン由来の細胞と融合させた。
【００４２】
前記のように、西洋ワサビペルオキシダーゼと、抗マウス抗体とのコンジュゲートを被覆したマイクロタイタープレートのウェルに50μＬの培養液上清を添加することにより、得られた西洋ワサビペルオキシダーゼに特異的な抗体のスクリーニングを実施した。ヤギ抗マウスＩｇＧ  Ｆｃとアルカリ性ホスファターゼとのコンジュゲート（Jackson Immunoresearch）を添加し、続いてトリス（ヒドロキシメチル）アミノメタン緩衝液（ 1.5モル濃度，pH８）中にアルカリ性ホスファターゼの基質としてｏ−ニトロフェニルリン酸二ナトリウム塩（Sigma Chemical）を含むもの（４mg/mL ）を用いて信号を発生させることにより、結合した抗体を検出した。30分後に、従来の分光光度計を用いて色素信号を評価した。
【００４３】
西洋ワサビペルオキシダーゼ阻害機能についてのスクリーニングを以下のように実施した。マイクロタイタープレートのウェルに各培養液上清の試料（50μＬ）を添加し、続いてリン酸緩衝溶液中に西洋ワサビペルオキシダーゼ（ 0.2ナノモル濃度）およびゼラチン（ 0.8％）を含むものを添加し、そして得られた混合物を10分間室温でインキュベートした。
クエン酸／リン酸緩衝液（50μＬ，50ミリモル濃度，pH 5.5）中にｏ−フェニレンジアミン（１mg/mL ）を含む溶液（ 100μＬ）を添加し、そして色素信号の量を 450nmで従来の分光光度計（ 100mOD/分）を用いて測定することにより、残留西洋ワサビペルオキシダーゼ活性を測定した。
得られた抗体6-89.1は、酵素活性を６％までしか減少させないことが測定された。
【００４４】
先に「B5-10 」と明記されたモノクローナル・バインダー抗体を同様に調製した。以下の実施例で用いられる特定のバインダー抗体は、本発明に決定的なものではない。前記のようないずれかの適当なバインダー抗体が同様に使用できる。バインダー抗体は、アッセイで使用する前に、リン酸緩衝溶液１mL当たり抗体約１mgおよび0.02％メルチオレート保存剤を含む別個の保存溶液として４℃で保存した。
【００４５】
ジフェニルヒダントインと西洋ワサビペルオキシダーゼとのコンジュゲートの調製：
ジフェニルヒダントイン・ハプテンとアミン富化西洋ワサビペルオキシダーゼとの水溶性コンジュゲートを以下のように調製した。この調製法は単に代表的なものであり、本発明に有用なコンジュゲートの調製に必須であるわけではない。別の調製方法も存在する。
ハプテン、５，５−ジフェニル−３−｛４−〔４−（３−スクシンイミドオキシカルボニルプロピオニル）−１−ピペラジニルカルボニル〕ブチル｝−２，４−イミダゾリジンジオンを、ヨーロッパ特許第 0 517 327号明細書（1993年５月５日発行）に記載される方法により調製した。それは、その刊行物では「HD-2」と明記されている。米国特許第 5,162,219号明細書（引用することにより本明細書に組み入れられる）の実施例１の一般法を用いてアミン富化西洋ワサビペルオキシダーゼを調製した。
【００４６】
４′−ヒドロキシアセトアニリド（10ミリモル濃度）を含有する乾燥Ｎ，Ｎ′−ジメチルホルムアミド（ 1.031mL）に「HD-2」（15.5mg）を溶解することにより、ハプテンをアミン富化西洋ワサビペルオキシダーゼに結合させた。Ｎ−（２−ヒドロキシエチル）ピペラジン−Ｎ′−（３−プロパンスルホン酸）緩衝液（pH８， 0.1モル濃度）中にアミン富化西洋ワサビペルオキシダーゼ（１mL，10mg/mL ）を含む溶液を、４′−ヒドロキシアセトアニリド（10ミリモル濃度）を含有する乾燥Ｎ，Ｎ′−ジメチルホルムアミド（ 500μＬ）と渦巻混合しながら合わせ、次いで42℃の水浴に入れた。「HD-2」溶液（ 500μＬ）を酵素溶液に渦巻混合しながら滴下して、モル比を50:1にした。反応混合物を穏やかに攪拌しながら42℃で１時間インキュベートした。
【００４７】
反応生成物を以下のように透析した。
ａ）４′−ヒドロキシアセトアニリド（10ミリモル濃度）を含有する乾燥Ｎ，Ｎ′−ジメチルホルムアミド（１Ｌ）と前記緩衝液（pH８， 0.1モル濃度）との比率 1:1の混合物に対して42℃で１時間。
ｂ）透析条件ａ）を繰り返した。
ｃ）ウシ血清アルブミン（ 0.1％）を含有する前記緩衝液（ 1.5Ｌ， 0.1モル濃度，pH８）に対して８℃で 1.5時間。
ｄ）前記緩衝液（ 1.5Ｌ， 0.1モル濃度，pH８）に対して８℃で18時間。
ｅ）塩化ナトリウム（0.15モル濃度）を含有するトリス（ヒドロキシメチル）アミノメタン塩酸塩緩衝液（ 1.5Ｌ，0.04モル濃度，pH7.5 ）に対して８℃で２時間。
ｆ）透析条件ｅ）を４時間繰り返した。
生成物溶液は、分光光度計で測定するとジフェニルヒダントイン−西洋ワサビペルオキシダーゼ・コンジュゲート1.48mg/mL を含有した。
【００４８】
ＰＧＥ2 と西洋ワサビペルオキシダーゼとのコンジュゲートの調製：
ＰＧＥ2 と西洋ワサビペルオキシダーゼとの水溶性コンジュゲートを以下の方法で調製した。しかしながらこの方法は、別の有用な方法も知られているので、代表的なものである。
水性Ｎ，Ｎ′−ジメチルホルムアミド／ジメチルスルホキシド（それぞれ13％および26％）にＰＧＥ2 （５mg）を含む溶液（ 0.5mL）を、等モル濃度量のトリブチルアミン（2.63μＬ）で処理し、氷浴中で冷却し、次いで等モル濃度量のクロロ蟻酸イソブチル（1:100 Ｎ，Ｎ−ジメチルホルムアミド溶液，1.94μＬ）と混合した。得られた混合物を氷浴中で20分間攪拌した。
【００４９】
大規模に調製し、エチレンジアミンの代わりにＬ−リジンを用い、そして１−（４−モルホリノカルボニル）−４−（２−スルホエチル）ピリジニウムヒドロキシド，分子内塩の代わりに１−エチル−３−（３−ジメチルアミノプロピル）カルボジイミド塩酸塩を用いたことを除いて、米国特許第 5,162,219号明細書（前記）の実施例１の方法を用いてアミン富化西洋ワサビペルオキシダーゼを調製した。得られたアミン富化酵素（ 19.33mg/mL ）の溶液の一部を３−（Ｎ−モルホリノ）プロパンスルホン酸緩衝液（0.02モル濃度）で１mg/mL に希釈した。水酸化ナトリウム（0.05モル濃度）を用いてpHを９に上げ、次いで予め調製したＰＧＥ2 溶液（ 1.493mL）を滴下して処理した。混合物を室温で90分間攪拌し、そして希塩酸を用いてpHを７に下げた。水酸化アンモニウム（ 0.578mL， 0.2モル濃度，pH７）を最終濃度0.02モル濃度まで添加し、そして得られた混合物を室温で２時間インキュベートした。得られたコンジュゲート溶液をゲル濾過カラムで脱塩し、濃縮し、そして最初に水に対して透析し、次いでリン酸緩衝溶液に対して透析した。生成物溶液は、分光光度計で測定するとＰＧＥ2 −西洋ワサビペルオキシダーゼ・コンジュゲート 1.3mg/mL （収率58％）を含有した。
【００５０】
前記ジフェニルヒダントイン−西洋ワサビペルオキシダーゼ・コンジュゲート（3.29×10-10 モル濃度）およびＰＧＥ2 −西洋ワサビペルオキシダーゼ・コンジュゲート（１×10-9モル濃度）を、ウシ血清アルブミン（１％）およびメルチオレート（0.02％）を含む３−（Ｎ−モルホリノ）プロパンスルホン酸緩衝液（ 0.2モル濃度，pH７）中で別個に保存した。
本実施例のアッセイで用いたジフェニルヒダントインに特異的なモノクローナル抗体ならびにＰＧＥ2 に特異的なモノクローナルおよびポリクローナル抗体は、市販品を購入するかまたは従来の方法を用いて調製した。これらの抗体は、以下のようにポリ〔スチレン−コ−ｐ−（２−クロロエチルスルホニルメチル）スチレン〕（モノマー重量比92:8，平均径１μｍ）の粒子に別個に固定化した。モノクローナル・バインダー抗体B5-10 を同様に固定化した。
【００５１】
粒子の懸濁液（固体３％）をそれぞれの抗体（ 0.829mg/mL ）とホウ酸緩衝液（ 0.1モル濃度，pH 8.5）中24時間室温で混合した。得られた付着量は、抗ＰＧＥ2 抗体については粒子１ｇ当たり抗体約 0.025ｇであり、抗ジフェニルヒダントイン抗体については 0.025g/g であり、そして抗西洋ワサビペルオキシダーゼ抗体については 0.013g/g であった。固定化第１もしくは第２レセプターとして用いられる、得られた固定化抗体を洗浄し、そしてアッセイで使用するためにＮ−トリス（ヒドロキシメチル）メチル−２−アミノエタンスルホン酸緩衝液（ 0.1モル濃度，pH７）に懸濁させた。
イソ酵素Ｃを含有する西洋ワサビペルオキシダーゼを、Servac, Inc.（南アフリカ）より入手した。
【００５２】
Ｎ，Ｎ−ジメチルホルムアミドに４，５−ビス（４−ジメチルアミノフェニル）−２−（４−ヒドロキシ−３−メトキシフェニル）イミダゾールロイコ色素（１ｇ）を含む溶液（５mL）をポリビニルピロリドン（ 125ｇ）の溶液（ 500mL）に添加して、１時間攪拌することにより、酵素基質溶液を調製した。ジエチレントリアミン五酢酸（１mL， 0.1モル濃度）を一塩基性リン酸ナトリウム一水和物（13.8ｇ）の溶液（9500mL）に攪拌しながら添加し、続いて３′−クロロ−４′−ヒドロキシアセトアニリド（ 9.4ｇ）を添加した。得られた混合物を成分が溶解するまで攪拌し、そして50％水酸化ナトリウムでpHを 6.8に調整した。激しく攪拌しながら、次いでそれをロイコ色素溶液と混合した。過酸化水素（10mL，30％）を添加し、そして最終混合物をさらに15分間攪拌した。
【００５３】
色素信号停止溶液は、リン酸緩衝溶液（0.05モル濃度，pH 7.3）にベンゾヒドロキシム酸（ 0.1％）およびメルチオレート（0.01％）を含むものであった。
洗浄溶液は、グリシン緩衝液（pH10）にテルジトール（TERGITOL，商標）４陰イオン界面活性剤（1.35％）、カゼイン（ 0.5％）およびメルチオレート（0.01％）を含むものであった。
標的ジフェニルヒダントインもしくはＰＧＥ2 の溶液は、ウシ血清アルブミン（１％）を含む３−（Ｎ−モルホリノ）プロパンスルホン酸緩衝液（ 0.2モル濃度，pH７）で調製した。
【００５４】
固定化第１レセプターが使用される本発明の態様では（実施例１および２）、米国特許第 4,948,561号明細書（前記）に記載のように、ロプロジン（LOPRODYNE,商標）微孔質膜（平均孔径 1.2μｍ）を含むフィルター・キャップが嵌め込まれた管（容量６mL）を含む抽出デバイスを用いて段階Ａ）および二次分離を実施した。第１レセプターが水溶性である該態様では、段階Ａ）を試験管で実施した。
本発明の後段階は、各々ロプロジン（LOPRODYNE,商標）微孔質濾過膜（平均孔径 1.2μｍ）を有する３つの試験ウェルを含む、エバルサイト（EVALUSITE,商標）試験キット〔米国特許第 5,132,085号明細書（Pelanek ）に記載されたものなど〕の使い捨て試験デバイスで実施した。各ウェルの膜上に前記固定化第２レセプターの懸濁液（ 1.8μＬ，固体 0.3％）を塗布して乾燥した。
【００５５】
実施例１  プロスタグランジンＰＧＥ2 についてのアッセイ
リガンド、ＰＧＥ2 を、以下のように本発明方法に従って測定した。
ミクロ遠心管に、順に、Ｎ−〔トリス（ヒドロキシメチル）メチル−２−アミノエタンスルホン酸緩衝液〕（ 0.107mL， 0.1モル濃度，pH７）、固定化抗ＰＧＥ2 抗体試薬（ 0.028mL，固体 0.6％，最終濃度）そして未標識化ＰＧＥ2 溶液（0.03mL，様々なリガンド濃度）を添加し、続いて30分間室温でインキュベートした。次いで水溶性ＰＧＥ2 −西洋ワサビペルオキシダーゼ・コンジュゲート（0.03mL）を添加し、続いて５分間室温でインキュベートした。遠心管中の内容物を８分間遠心分離にかけた。
【００５６】
遠心管から固定化抗西洋ワサビペルオキシダーゼ抗体を含有する使い捨て試験デバイスの試験ウェルに、上清をデカンテーションした。試験溶液中には十分な標的ＰＧＥ2 が存在したので、上清は結合していないＰＧＥ2 と西洋ワサビペルオキシダーゼとの水溶性コンジュゲートを含んでいた。
５分間室温でインキュベーションした後、洗浄溶液（約 350μＬ）を試験ウェルに添加し、排水し、続いて第２洗浄した。３滴の酵素基質溶液を添加した。室温で２分間インキュベートした後、色素信号停止溶液（３滴）を添加し、そして得られた色素信号を評価した。
【００５７】
ミクロ遠心管に標的ＰＧＥ2 および固定化抗ＰＧＥ2 抗体を存在させないで、陽性対照アッセイを同様に実施した。そのような場合、すべての水溶性コンジュゲートが試験デバイス中で自由に固定化第２レセプター（抗体）と複合化して最大色素信号を提供した。
ミクロ遠心管に標的ＰＧＥ2 を存在させないが、固定化抗ＰＧＥ2 抗体を存在させて、陰性対照アッセイを同様に実施した。得られた色素信号はバックグラウンドのみによるものであった。
【００５８】
バックグラウンドを越える色素信号の滴定を、ＰＧＥ2 １×10-9〜３×10-9モル濃度間の検出限界を伴うＰＧＥ2 濃度の関数として観察した。図１および２は、陽性および陰性対照（それぞれ曲線１および３）ならびに本発明のアッセイ（曲線２）を包含するこれらのアッセイの結果を、用量反応曲線の形で示すものである。図１では、色素信号（色濃度チャートから認められた色スコア）をｙ軸にプロットし、そしてＰＧＥ2 濃度〔log(PGE2）〕をｘ軸にプロットした。図２は同様のプロットだが、しかし色素信号（透過濃度）をｙ軸にプロットした。このアッセイは、ある種の歯周疾患についてのマーカーであるＰＧＥ2 の高感度な検出を具体的に示すものである。
【００５９】
実施例２  ジフェニルヒダントインについてのアッセイ
リガンド、ジフェニルヒダントイン（フェニトイン）を、以下のように本発明方法に従って測定した。
抽出デバイスに、順に、Ｎ−〔トリス（ヒドロキシメチル）メチル−２−アミノメタンスルホン酸緩衝液〕（ 0.211mL， 0.1モル濃度，pH７）、固定化抗ジフェニルヒダントイン抗体試薬（ 0.059mL，固体 0.2％，最終濃度）そして未標識化ジフェニルヒダントイン溶液（0.03mL，様々なリガンド濃度）を添加し、続いて５分間室温でインキュベートした。次いで水溶性ジフェニルヒダントイン−西洋ワサビペルオキシダーゼ・コンジュゲート（0.03mL）を添加し、続いて５分間室温でインキュベートした。次いでフィルター・キャップを抽出管に嵌めた。
【００６０】
抽出管からフィルター・キャップを通して上清を絞り出し、そして第２レセプターとして固定化抗ジフェニルヒダントイン抗体を含有する使い捨て試験デバイスの試験ウェルに塗布した。十分な標的ジフェニルヒダントインが存在したので、上清は結合していないジフェニルヒダントインと西洋ワサビペルオキシダーゼとの水溶性コンジュゲートを含んでいた。
５分間室温でインキュベーションした後、洗浄溶液（約 350μＬ）を試験ウェルに添加し、排水し、続いて第２洗浄した。３滴の酵素基質溶液を添加した。室温で２分間インキュベートした後、色素信号停止溶液（３滴）を添加し、そして得られた色素信号を評価した。
【００６１】
陽性および陰性対照アッセイを実施例１に記載した方法と同様に実施した。
バックグラウンドを越える色素信号の滴定を、ジフェニルヒダントイン１×10-8〜３×10-8モル濃度間の検出限界を伴うジフェニルヒダントイン濃度の関数として観察した。図３および４は、陽性および陰性対照（それぞれ曲線１および３）ならびに本発明のアッセイ（曲線２）を包含するこれらのアッセイの結果を、用量反応曲線の形で示すものである。図３では、色素信号（色濃度チャートから認められた色スコア）をｙ軸にプロットし、そしてジフェニルヒダントイン濃度〔log(ジフェニルヒダントイン）〕をｘ軸にプロットした。図４は同様のプロットだが、しかし色素信号（透過濃度）をｙ軸にプロットした。
【００６２】
実施例３  プロスタグランジンＰＧＥ2 についての別のアッセイ
リガンド、ＰＧＥ2 を、水溶性（非固定化）第１レセプターを用いて以下のように本発明の別の態様に従って測定した。
試験管に、順に、Ｎ−〔トリス（ヒドロキシメチル）メチル−２−アミノエタンスルホン酸緩衝液〕（ 0.1モル濃度，pH７）中の抗ＰＧＥ2 抗体（ 0.270mL， 0.00316mg/mL ）および未標識化ＰＧＥ2 溶液（0.03mL，実施例１と同様に様々なリガンド濃度）を添加し、続いて５分間室温でインキュベートした。次いで水溶性ＰＧＥ2 −西洋ワサビペルオキシダーゼ・コンジュゲート（0.03mL）を添加し、続いて５分間室温でインキュベートした。
【００６３】
固定化モノクローナル抗ＰＧＥ2 抗体を含有する使い捨て試験デバイスの試験ウェルに、内容物をデカンテーションした。試験溶液中には十分な標的ＰＧＥ2 が存在したので、上清は結合していないＰＧＥ2 と西洋ワサビペルオキシダーゼとの水溶性コンジュゲートを含んでいた。
５分間室温でインキュベートした後、洗浄溶液（約 350μＬ）を試験ウェルに添加し、排水し、続いて第２洗浄した。３滴の酵素基質溶液を添加した。室温で２分間インキュベートした後、色素信号停止溶液（３滴）を添加し、そして得られた色素信号を評価した。
【００６４】
試験管に標的ＰＧＥ2 および抗ＰＧＥ2 抗体を存在させないで、陽性対照アッセイを同様に実施した。そのような場合、すべての水溶性コンジュゲートが試験デバイス中で自由に固定化第２レセプター（抗体）と複合化して最大色素信号を提供した。
試験管に標的ＰＧＥ2 を存在させないが、抗ＰＧＥ2 抗体を存在させて、陰性対照アッセイを同様に実施した。得られた色素信号はバックグラウンドのみによるものであった。
【００６５】
バックグラウンドを越える色素信号の滴定を、ＰＧＥ2 １×10-8〜３×10-8モル濃度間の検出限界を伴うＰＧＥ2 濃度の関数として観察した。このアッセイは、ある種の歯周疾患についてのマーカーであるＰＧＥ2 の高感度な検出を具体的に示すものである。
本発明をその好ましい態様を特に参照して詳細に記載してきたが、修正および変更が本発明の精神および範囲内で可能であることは理解されるであろう。
【図面の簡単な説明】
【図１】図１は、log ＰＧＥ2 濃度に対して色素信号色スコアをプロットしたグラフであり、実施例１により詳細に記載されている。
【図２】図２は、log ＰＧＥ2 濃度に対して色素信号透過濃度値をプロットしたグラフであり、実施例１により詳細に記載されている。
【図３】図３は、log ジフェニルヒダントイン濃度に対して色素信号色スコアをプロットしたグラフであり、実施例２により詳細に記載されている。
【図４】図４は、log ジフェニルヒダントイン濃度に対して色素信号透過濃度値をプロットしたグラフであり、実施例２により詳細に記載されている。
【図１】
0003808527.tif 000003
【図２】
0003808527.tif 000004
【図３】
0003808527.tif 000005
【図４】
0003808527.tif 000006